(57)【要約】      （修正有）【課題】メスまたは医療用トレパンを用いて組織の切除を行うときに、作業を容易とし、かつ組織に傷を付けるのも回避できるようにするための組織切除用受け台を提供する。【解決手段】組織切除用受け台１は、剛体である平板状の支持体層２と、支持体層２の上に配置された支持体層２よりも剛性が低い平板状の弾性体層３とで構成される。切除に当たっては、組織切除用受け台１の弾性体層３が配置されている部分を皮膚１０と皮下組織の間に挿入し、上から医療用トレパン２０を押し付ける。【選択図】図８
2015139496.tif 000002
【特許請求の範囲】
【請求項１】
刃物によって生体組織を切除するときに当該刃物を受けるための組織切除用受け台であって、
剛体である平板状の支持体層と、
前記支持体層の少なくとも一部に配置されており前記支持体層よりも剛性が低い平板状の弾性体層と、
を少なくとも備えることを特徴とする組織切除用受け台。
【請求項２】
前記支持体層のＧＰａでのヤング率が３０以上であり、前記弾性体層のＧＰａでのヤング率が１０以下であることを特徴とする請求項１に記載の組織切除用受け台。
【請求項３】
前記支持体層は、金属、ガラス、セラミックまたは合成樹脂からなる層であり、前記弾性体層は合成樹脂、ゴム、皮革、布、または紙からなる層であることを特徴とする請求項２に記載の組織切除用受け台。
【請求項４】
前記支持体層はステンレスであり、前記弾性体層はシリコーン樹脂であることを特徴とする請求項３に記載の組織切除用受け台。
【請求項５】
全体形状が平面視で矩形状であることを特徴とする請求項１〜４のいずれか一項に記載の組織切除用受け台。
【請求項６】
少なくとも一方端の外形は曲線を含むように形成されていることを特徴とする請求項５に記載の組織切除用受け台。
【請求項７】
前記支持体層の表面であって前記弾性体層が配置されていない領域の全部または一部には潤滑材によるコーティング層が形成されていることを特徴とする請求項１〜６のいずれか一項に記載の組織切除用受け台。
【請求項８】
前記支持体層と前記弾性体層との間に１個または１個以上のマグネットまたはマグネットシートが配置されていることを特徴とする請求項１〜７のいずれか一項に記載の組織切除用受け台。
【請求項９】
前記支持体層は、一部に他の部分と比較して横幅の大きい部分、厚みの大きい部分、または、横幅と厚みの双方が大きい部分を有することを特徴とする請求項１〜８のいずれか一項に記載の組織切除用受け台。
【請求項１０】
前記支持体層がハサミの刃先部分であることを特徴とする請求項１〜９のいずれか一項に記載の組織切除用受け台。
【請求項１１】
先端部に平板状の挟持部を有し後端部に取っ手部を有する対をなす第１の長尺部材と第２の長尺部材とが支軸を介して回動可能に取り付けられており、第１の長尺部材の前記平板状の挟持部の先端は第２の長尺部材の前記平板状の挟持部の先端よりも前方に延出しており、前記第１の長尺部材の前記平板状の挟持部は請求項１〜８のいずれか一項に記載の組織切除用受け台で構成されており、前記延出している領域に前記弾性体層が位置していることを特徴とする挟持型組織切除用受け台。
【発明の詳細な説明】
【技術分野】
【０００１】
本発明は、例えば生体組織診断において組織を切除するときに用いられる組織切除用受け台に関する。
【背景技術】
【０００２】
生体組織診断において、特に、皮膚の一部を採取して標本を作製するとき、あるいは、皮膚の一部を切除してその部分での皮膚の再生能力を観察するときなどに、皮膚を切除するための方法として、メスを用いるバイオプシー、あるいは図９に示す、または例えば特許文献１に記載されるような医療用トレパンを用いて行うパンチバイオプシーが多用されている。また、マウスなどの動物を用いた実験においても、同様な皮膚採取が行われている。
【先行技術文献】
【特許文献】
【０００３】
【特許文献１】特開２００３-３３９７１４号公報
【発明の開示】
【発明が解決しようとする課題】
【０００４】
皮膚をはじめとするある種の軟組織は、その伸縮性・柔軟性のため、切除用の刃物が通り難く、切断が必ずしも容易でない。特に、高齢者やマウスなど、皮膚にたるみがあったり皮下組織が柔らかい場合に、そのことは顕著である。無理にトレパンを押し付けると、切断刃による圧迫が皮下組織や内臓にまで達してしまい、皮下組織や内臓に予期しない損傷を生じさせることがある。また、メスやハサミで切り込みを増やしながら切断する場合、切断面が挫滅して治癒し難くなる恐れもある。そのようなことから、皮膚の採取には慎重な作業が求められており、また高度の経験も必要となることから、より安定的にかつ容易に皮膚の採取ができる方法が求められている。
【０００５】
本発明は、そのような要請に答えるためのものである。具体的には、メスを用いるバイオプシーあるいは医療用トレパンを用いて行うパンチバイオプシーなどにおいて、生体組織を切除するために用いる刃物を下から受けるための新たな組織切除用受け台を提供することを課題としており、本発明による組織切除用受け台を用いることで、安定的にかつ容易に生体組織の切除と採取ができるようになる。
【課題を解決するための手段】
【０００６】
本発明者らは、上記の課題を解決すべく、マウスを用いて実験を行った。最初に、切除すべき皮膚と皮下組織の間に、剛性の高い金属からなる平板状の受け台を挿入し、その状態で皮膚の上から刃物を押し付けて皮膚を切除することを行った。剛性の高い平板状の受け台が存在することで、刃物からの押圧力は集中応力として皮下組織に作用することはなく分散することから、圧迫によって皮下組織や内臓を傷つけることなく、皮膚のみを切除し採取することができた。しかし、受け台が、剛性が高く表面が平坦な金属製であることから、切除時に、刃物が金属製の受け台上を滑動してしまい、組織を傷つけてしまったり、きれいな組織の切片が得られないことを経験した。
【０００７】
その経験を踏まえて、次に、組織切除用受け台として、支持体層と弾性体層の２層構造からなるものを用意し、それを皮下に挿入して切除実験を行ったところ、皮下組織や内臓に傷つけることなく、皮膚のみを簡便にかつ切断面をきれいに切除できることを経験した。弾性体層としては、支持体層よりも剛性が低く、かつ刃物を支持体層側に向けて押圧したときに、その押圧力によって厚さ方向に変形するか刃先が厚さ方向に進入できるような物性を備えた弾性体層が好適であった。
【０００８】
本発明は、本発明者らが実験を通して得た上記の知見に基づくものであり、本発明による組織切除用受け台は、刃物によって生体組織を切除するときに当該刃物を受けるための組織切除用受け台であって、剛体である平板状の支持体層と、前記支持体層の少なくとも一部に配置されており前記支持体層よりも剛性が低い平板状の弾性体層と、を少なくとも備えることを特徴とする。
【０００９】
本発明による組織切除用受け台の一態様では、前記支持体層のＧＰａでのヤング率が３０以上であり、前記弾性体層のＧＰａでのヤング率が１０以下であることを特徴とする。
【００１０】
本発明による組織切除用受け台の一態様では、前記支持体層は、金属、ガラス、セラミックまたは合成樹脂からなる層であり、前記弾性体層は合成樹脂、ゴム、皮革、布、または紙からなる層であることを特徴とする。より好ましくは、前記支持体層はステンレスであり、前記弾性体層はシリコーン樹脂である。
【００１１】
本発明による組織切除用受け台の一態様では、全体形状が平面視で矩形状であることを特徴とする。また、上記の態様において、少なくとも一方端の外形は曲線を含むように形成されていることを特徴とする。
【００１２】
本発明による組織切除用受け台の一態様では、前記支持体層の表面であって前記弾性体層が配置されていない領域の全部または一部には潤滑材によるコーティング層が形成されていることを特徴とする。
【００１３】
本発明による組織切除用受け台の一態様では、前記支持体層と前記弾性体層との間に１個または１個以上のマグネットまたはマグネットシートが配置されていることを特徴とする。
【００１４】
本発明による組織切除用受け台の一態様では、前記支持体層は、一部に他の部分と比較して横幅の大きい部分、厚みの大きい部分、または、横幅と厚みの双方が大きい部分を有することを特徴とする。
【００１５】
本発明による組織切除用受け台の一態様では、前記支持体層がハサミの刃先部分であることを特徴とする。
【００１６】
本発明による組織切除用受け台の他の態様は、先端部に平板状の挟持部を有し後端部に取っ手部を有する対をなす第１の長尺部材と第２の長尺部材とが支軸を介して回動可能自在に取り付けられており、第１の長尺部材の前記平板状の挟持部の先端は第２の長尺部材の前記平板状の挟持部の先端よりも前方に延出しており、前記第１の長尺部材の前記平板状の挟持部は上記したいずれかの組織切除用受け台で構成されており、前記延出している領域に前記弾性体層が位置していることを特徴とする。
【発明の効果】
【００１７】
本発明による組織切除用受け台を用いることで、安定的にかつ容易に生体組織の切除と採取ができるようになる。
【図面の簡単な説明】
【００１８】
【図１】本発明による組織切除用受け台の第１の実施の形態を示す図。
【図２】本発明による組織切除用受け台の第２の実施の形態の２つの例を示す図。
【図３】本発明による組織切除用受け台の第３の実施の形態の３つの例を示す図。
【図４】本発明による組織切除用受け台の第４の実施の形態を示す図。
【図５】本発明による組織切除用受け台の第５の実施の形態を示す図。
【図６】本発明による組織切除用受け台の第６の実施の形態を示す図。
【図７】本発明による挟持型組織切除用受け台の一実施の形態を示す図。
【図８】図１に示した組織切除用受け台を用いて皮膚の切除を行う状態を説明する図。
【図９】図８で用いた医療用トレパンの詳細図。
【発明を実施するための形態】
【００１９】
以下、図面を参照しながら、本発明による組織切除用受け台の実施の形態を説明する。
【００２０】
［第１の実施の形態］
図１は、本発明による組織切除用受け台の第１の実施の形態を斜視図で示している。組織切除用受け台１は、剛体である平板状の支持体層２と、その一方側の端部の一面側に積層された前記支持体層２よりも剛性が低い平板状の弾性体層３とを備える。支持体層２における前記弾性体層３が積層されている側には、適宜の目盛４が彫り込まれている。
【００２１】
例示として、支持体層２の長さａは１００〜１５０ｍｍ程度、幅ｂは１０〜２０ｍｍ程度、厚みｃは０．５〜２．５ｍｍ程度である。弾性体層３の長さｄは２０〜４０ｍｍ程度、幅ｅは１０〜２０ｍｍ程度、厚みｆは０．５〜２．５ｍｍ程度である。弾性体層３は支持体層２の一端側に重畳するようにして積層されており、したがって、組織切除用受け台１における前記弾性体層３が重畳されている領域の長さは２０〜４０ｍｍ程度であり、横幅は１０〜２０ｍｍ程度であり、厚みは１〜５ｍｍ程度である。
【００２２】
上記の態様の組織切除用受け台１において、好ましくは、支持体層２および弾性体層３には、滅菌が可能なこと、生体組織に傷をつけない滑らかさを備えること、生体毒性がないことなどが求められるが、そのような観点から、前記支持体層２の具体的な材料の例としては、金属、ガラス、セラミックまたは合成樹脂などの材料を挙げることができる。また、前記弾性体層３の具体的な材料の例としては、シリコーンを含む合成樹脂、ゴム、皮革、布、または紙などの材料を挙げることができる。支持体層２を構成する金属材料としては特にステンレスが好適であり、ガラスとしては特に強化ガラスが好適であり、合成樹脂としては特に強化プラスチックが好適である。弾性体層３を構成する合成樹脂としては、シリコーン樹脂、なかでもＰＤＭＳが好適である。
【００２３】
なかでも好適には、弾性体層３の材料としてシリコーン樹脂等の密着性を備えた材料が用いられ、それにより、支持体層２と弾性体層３とが密着し、両者の積層を、特別の接着剤や粘着剤を用いないで行うことができ、製造が容易となる。もちろん、適宜の接着剤や粘着剤を用いて両者を接着積層してもよい。また、弾性体層３の材料は、支持体層２の材料よりも、表面での静止摩擦係数が大きいものであることが好ましく、それにより、後記するように、切除時に、刃物の刃先が支持体層２の表面で滑るのを一層確実に阻止することができる。
【００２４】
図８は、図１に示した組織切除用受け台１を用いて、生体から組織の一部（この例では皮膚）を切除するときの状態を示している。図８において、１０は、例えばマウスの皮膚であり、切除に際しては、マウスの一部を切開する。そして、その切開口１１から皮膚１０と皮下組織との間に、組織切除用受け台１を弾性体層３側を先端として挿入する。必要な場合には、作業者は、前記目盛４を読むことで、挿入後の弾性体層３の位置を確認することができる。
【００２５】
その状態で、作業者は、挿入した組織切除用受け台１における弾性体層３が位置する部位の上から、図示しないメスを用いて皮膚１０の切除を行うか、または、図９に示すような医療用トレパン２０を用い、該医療用トレパン２０を弾性体層３に垂直な姿勢として押し付けることで円形状に皮膚１０を切除する。なお、図９に示す医療用トレパン２０は従来から用いられているものであり、先端に直径０．５〜８ｍｍ程度の円筒状の切断刃２１を備えており、該切断刃２１が把持部２２に一体的に取り付けられている。
【００２６】
皮膚１０を切除した後に、メスの刃先または医療用トレパン２０の切断刃２１の刃先は、組織切除用受け台１の弾性体層３に達する。刃先の押し付け力は、平板状である弾性体層３および剛体である支持体層２を通して、組織切除用受け台１の下位にある組織（例えば、皮下組織）に達するが、弾性体層３において一部が吸収されることと、剛体である平板状の支持体層２によって応力を受け止めることで、組織切除用受け台１の下位にある組織（例えば、皮下組織）に集中応力が作用することはなく、下位の組織が傷つくことが抑制される。
【００２７】
また、切断刃２１の刃先は、切除すべき組織を切除した後、押圧力を保持した状態で前記弾性体層３の表面に到達するが、その押圧力によって弾性体層３が厚さ方向に変形し、その変形とともに刃先が厚さ方向に進入する。そのために、切断刃２１の刃先によって脂肪や皮膚等の柔軟性が高く、かつ強度のある膜や組織を容易に切り離すことができる。また、切除後の切断刃２１が不用意に弾性体層３の面方向に移動することはなく、切除された組織の切断面が不用意に損傷するのも回避できる。それにより、切断面に損傷のないきれいな切片を得ることができる。
【００２８】
切除対象物の種類に応じて、切除時に刃物に加えるべき押圧力の大きさは異なってくるので、実際には、押圧力により変形しないだけの剛性をもち、かつ下位の組織に損傷を与えない大きさの応力を分散できる面積を備えた支持体層を、実験的に設定することとなる。マウスのような実験動物の皮膚を切除対象物とする場合には、前記した材料を用い、かつ前記した大きさの組織切除用受け台１を用いることで、十分に所期の目的を達成することができる。
【００２９】
なお、本発明による組織切除用受け台１において、平面状の支持体層２の厚みや剛性は、切除時に作用する上からの荷重によって変形しないことが条件に、組織を切除しようとする対象物および切断時に刃物から作用する応力に応じて、実験的に設定すればよい。本発明者らの実験では、前記のように、支持体層２と弾性体層３の合計の厚みが０．３〜５ｍｍ程度であれば、組織にテンションをかけずに挿入することができた。また、その厚み範囲において、ＧＰａでのヤング率が３０以上の剛性である支持体層２であれば、不用意に変形しないという所期の目的を十分に達成できることが分かった。また、前記弾性体層３では、切断対象が、マウスのような実験動物の場合に、ＧＰａでのヤング率が１０以下の低い剛性の材料であれば、十分に所期の目的を達成することが分かった。したがって、本発明による組織切除用受け台１の一態様では、前記支持体層２のＧＰａでのヤング率が３０以上であり、前記弾性体層３のＧＰａでのヤング率が１０以下であることが好ましい態様である。
【００３０】
また、本発明による組織切除用受け台１において、切除時に、少なくとも切除しようとする組織の下に挿入される部位は、組織にテンションをかけないように薄いことが好ましい。
【００３１】
［第２の実施の形態］
図２（ａ）（ｂ）は、本発明による組織切除用受け台の第２の実施の形態の２つの例を斜視図で示している。２つとも、組織切除用受け台の弾性体層３を配置した側（挿入側）の先端部の形状を除き、また、目盛４の有無を除き、図１に示した組織切除用受け台１と実質的に同じであり、対応する部材には同じ符号を付すことで説明は省略する。図２（ａ）に示す組織切除用受け台１ａでは、弾性体層３を配置した側の先端部は、直線部５ａと、直線部５ａの左右と左右の側縁部を結ぶ曲線部５ｂ、５ｂとで形成されており、図２（ｂ）に示す組織切除用受け台１ｂでは、弾性体層３を配置した側の先端部は、連続する滑らかな曲線部５ｃのみで形成されている。このように、挿入側の先端部に丸みを持たせることで、挿入時に組織に与えるストレスを低減でき、生体へのダメージを抑制することができるとともに、抜き差し作業も容易となる。なお、図２に示すものにおいても、目盛４を付すようにしてもよい。
【００３２】
［第３の実施の形態］
図３（ａ）〜（ｄ）は、本発明による組織切除用受け台の第３の実施の形態の３つの例を示している。第３の形態は、弾性体層３が支持体層２の形成場所において、また、目盛４を有しないことで、図１に示した組織切除用受け台１と相違している。他の構成は実質的に組織切除用受け台１と同じであり、対応する部材には同じ符号を付すことで説明は省略する。
【００３３】
図３（ａ）に斜視図を示す組織切除用受け台１ｃは、支持体層２の両端部に弾性体層３、３が形成されている。この形態の組織切除用受け台１ｃは、同じ組織切除用受け台１ｃを、図１に示した組織切除用受け台１と比較して、少なくとも２倍の回数だけ、組織の切除作業に用いることが可能となる。なお、図３（ａ）に示すものにおいても、目盛４を付すようにしてもよい。
【００３４】
図３（ｂ）に斜視図を示す組織切除用受け台１ｄは、支持体層２の一方の面の全面に弾性体層３が形成されている。この形態の組織切除用受け台１ｄは、図１に示した組織切除用受け台１と比較して、組織の切除作業を行うときの切除場所の選択の自由度が大きくなる利点がある。また、弾性体層３と支持体層２の密着性が増大するため、弾性体層３が支持体層２からずれることが抑制される。
【００３５】
図３（ｃ）に斜視図を、図３（ｄ）に図３（ｃ）のｄ−ｄ線に沿う断面図を示す組織切除用受け台１ｅは、支持体層２の全面が弾性体層３によって覆われている点で、図３（ｂ）に示した組織切除用受け台１ｄと異なっている。この形態の組織切除用受け台１ｅも、組織の切除作業を行うときの切除場所選択の自由度が大きくなる利点があるとともに、表裏反転させることで、使用回数も大きくすることができる。また、弾性体層３が支持体層２からずれることが抑制される。なお、この形態の組織切除用受け台１ｅは、樹脂材料を弾性体層３に用いる場合に、溶融した樹脂材料中に支持体層２をどぶ付けすることで得ることができる。
【００３６】
［第４の実施の形態］
図４は、本発明による組織切除用受け台の第４の実施の形態を斜視図で示している。第４の形態である組織切除用受け台１ｆは、支持体層２における弾性体層３が形成されている側とは反対の側に、支持体層一般部よりも形状が大きくされた部位が把持部６として形成されている点で、また、目盛４を有しないことで、図１に示した組織切除用受け台１と相違している。他の構成は実質的に組織切除用受け台１と同じであり、対応する部材には同じ符号を付すことで説明は省略する。
【００３７】
図４に示した組織切除用受け台１ｆにおいては、把持部６は円筒状とされており、その直径は２０〜３０ｍｍ程度、長さは５０〜１００ｍｍ程度である。このような支持体層一般部よりも形状が大きくされた把持部６を備えることで、切除作業時での組織切除用受け台１ｆの把持が容易かつ確実となり、切除作業を円滑に行うことができるようになる。なお、把持部６は、支持体層一般部と同じ材料で作られていてもよく、別途製造した樹脂材料やゴム材料からなる円筒体を支持体層２に一体に組み付けるようにしてもよい。また、把持部６は、円筒体に限られず、支持体層一般部よりも横幅を大きくした部分、厚みを厚くした部分、または、横幅と厚みの双方が大きい部分を形成して、その部分を把持部６として用いるようにしてもよい。また、シート状のものを支持体層一般部の一部に巻きつけることで、把持部６とすることもできる。なお、図４に示すものにおいても、目盛４を付すようにしてもよい。
【００３８】
［第５の実施の形態］
図５は、本発明による組織切除用受け台の第５の実施の形態を斜視図で示している。第５の形態である組織切除用受け台１ｇは、支持体層２と、その一端部に積層した弾性体層３とを、パラフィンフィルムのような固定バンド７によって、バインドしている点で、また、目盛４を有しないことで、図１に示した組織切除用受け台１と相違している。他の構成は実質的に組織切除用受け台１と同じであり、対応する部材には同じ符号を付すことで説明は省略する。
【００３９】
生体内に挿入して用いる組織切除用受け台では、支持体層２と弾性体層３との間に液体（例えば、血液）が浸入すると、両者の密着性が低下して弾性体層３とともに刃物が面方向に滑動する恐れがある。第５の形態である組織切除用受け台１ｇは、パラフィンフィルムのような固定バンド７によって弾性体層３を支持体層２側にしっかりとバインドすることで、支持体層２と弾性体層３との間に不要な相対移動が生じるのを阻止できるようになり、切除時に刃物が不用意に滑動して切片に傷をつけるのを確実に回避できるようになる。なお、両者をバインドする材料としては、パラフィンフィルムのようなフィルム材料に限ることなく、輪ゴムなどであってもよい。また、図５に示すものにおいても、目盛４を付すようにしてもよい。
【００４０】
［第６の実施の形態］
図６は、本発明による組織切除用受け台の第６の実施の形態を示しており、図６（ａ）は全体の斜視図を、図６（ｂ）は図６（ａ）のｂ−ｂ線に沿う断面図を示している。第６の実施の形態である組織切除用受け台１ｈは、支持体層２の表面であって弾性体層３が配置されていない領域の全部または一部には潤滑材によるコーティング層８が形成されている点、支持体層２の弾性体層３が積層されている領域のほぼ中央部にマグネット９が支持体層２の表面と面一となるようにして埋設されている点を除き、他の構成は実質的に組織切除用受け台１と同じであり、対応する部材には同じ符号を付すことで説明は省略する。
【００４１】
本発明による組織切除用受け台を用いて、皮膚などの組織の切除を行うには、組織切除用受け台を切除すべき組織とその下部の組織との間に、組織切除用受け台を挿入する必要がある。その際に、支持体層２が滑り難い材料（例えば硬質ゴムのような材料）や表面が粗い材料（例えばコンクリート、素焼きの陶磁器のような材料）である場合に、挿入時に生体に傷をつける恐れがある。図６に示す組織切除用受け台１ｈでは、支持体層２の裏面の全面および４周の側面の全面とに、潤滑材によるコーティング層８を形成することで、その不都合を解消している。使用する潤滑材としては、プロピレングルコール、ワセリン、ゴム膜を挙げることができる。
【００４２】
また、組織切除用受け台１ｈの先端側を生体内に挿入したときに、弾性体層３が生体の皮膚等の組織下に入り込んでしまい、視認できなくなる場合がある。その場合でも、刃物が磁性体である場合には、埋設されたマグネット９からの磁性によって医療用トレパンの刃先が誘導されることで、弾性体層３の上に的確に医療用トレパンを位置させることができる。
【００４３】
なお、図６に示した組織切除用受け台１ｈでは、弾性体層３の周側面にもコーティング層８を形成しているが、この部分は省略してもよい。さらに、支持体層２の表面（弾性体層３を積層した側の面）における弾性体層３を積層していない領域にもコーティング層８を形成してもよい。
【００４４】
［挟持型組織切除用受け台の他の実施の形態］
図７は、本発明による挟持型組織切除用受け台の一実施の形態を示している。挟持型組織切除用受け台３０は、先端部に平板状の挟持部３１を有し後端部に取っ手部３２を有する第１の長尺部材３３と、先端部に平板状の挟持部３４を有し後端部に取っ手部３５を有する第２の長尺部材３６とが、Ｘ字状に交叉している構成を有し、該交叉部に支軸３７を挿通することで、第１の長尺部材３３と第２の長尺部材３６とは、支軸３７を支点として回動可能となっている。そして、図７に示す閉じた状態では、双方の平板状の挟持部３１と３４とは、互いに近接しかつ平行な姿勢で重畳するように設計されている。
【００４５】
また、第１の長尺部材３３の平板状の挟持部３１の長さは、第２の長尺部材３６の平板状の挟持部３４の長さよりも長い。そのために、図７に示す閉じた姿勢では、第１の長尺部材３３の平板状の挟持部３１の先端位置は、第２の長尺部材３６の平板状の挟持部３４の先端位置よりも前方に位置しており、第１の長尺部材３３の平板状の挟持部３１の先端側には、第２の長尺部材３６の平板状の挟持部３４が重畳しない（覆われない）領域３８が形成される。
【００４６】
挟持型組織切除用受け台３０において、前記した平板状の挟持部３１は、上記した本発明による組織切除用受け台１の構成を備えている。すなわち、平板状の挟持部３１は、剛体である平板状の支持体層２と、前記支持体層２の先端側に配置された前記した支持体層２よりも剛性が低い平板状の弾性体層３とで構成されており、弾性体層３側がもう一方の平板状の挟持部３４に対向するようにされている。第１の長尺部材３３における取っ手部３２を含む前記平板状の挟持部３１より後方部は、前記支持体層２に一体に連接しており、好ましくは、該支持体層２と同じ材料で作られる。前記後方部は平板状である必要はなく、所要の強度を備えることを条件に、操作のしやすい形状とされる。
【００４７】
第２の長尺部材３６は、第１の長尺部材３３の平板状の挟持部３１に対向する領域が平板状の挟持部３４とされる以外は、任意の形状であってよく、好ましくは、前記第１の長尺部材３３の前記後方部と同じ材料によって同じ形状に形成される。
【００４８】
挟持型組織切除用受け台３０を使用するに当たっては、最初に、２つの挟持部３１と３４を開いた姿勢とする。その姿勢で、挟持部３１を生体の切開口から挿入する。所要距離だけ挿入した後に、取っ手部３２、３５を操作して、平板状の挟持部３１と３４とを互いに平行な閉じた姿勢とする。それにより、図７に示すように、切除しようとする組織の一部は挟持部３１と３４の間に挟持された状態となる。その状態で、挟持部３１上に露出している組織（皮膚１０）の上から刃物、例えば医療用トレパン２０（図８，図９参照）を押し付けることで、組織（皮膚１０）の切除を行うことができる。
【００４９】
［他の実施の形態］
図示しないが、図３に示した第３の実施の形態による組織切除用受け台１ｃ、１ｄ、１ｅ、図４に示した第４の実施の形態による組織切除用受け台１ｆ、図５に示した第５の実施の形態による組織切除用受け台１ｇ、図７に示した挟持型組織切除用受け台３０のいずれにおいても、切開口から挿入される側の先端を、図２に示した第２の実施の形態による組織切除用受け台１ｂのように、丸みを持った形態とすることができ、それにより、挿入作業が容易となりかつ生体に傷をつけるのも回避することができる。また、組織切除用受け台のすべての実施の形態および挟持型組織切除用受け台３０において、所要の強度（剛性）が保持されることを条件に、挿入側の支持体層２の先端側を先端に向けて次第に厚みが薄くなるようにすることもできる。それにより、挿入作業が一層容易となり、また、生体に傷をつけるのも効果的に回避することができる。
【００５０】
さらに、図６に示した組織切除用受け台１ｈでは、１つのマグネット９を弾性体層３の下に埋設するようにしたが、図１〜図６に示したすべての形態の組織切除用受け台および挟持型組織切除用受け台３０にも適用可能であり、その際に、図３に示した形態の組織切除用受け台１ｃ、１ｄ、１ｅのように、複数個の弾性体層３を備える場合、あるいは広い面積の弾性体層３を備える場合には、２個以上のマグネット９を適宜の間隔を置いて配置するようにしてもよい。
【００５１】
さらに、本発明による組織切除用受け台の一態様において、前記支持体層がハサミの刃先部分であることもできる。この態様では、例えば、生体の皮膚を切開するときに用いるハサミの刃先部分の先端に前記の弾性体層を積層しておくことで、切開作業と同じ器具を用いて効果的な切除作業を行うことが可能となり、作業の効率化が図られる。
【実施例】
【００５２】
以下、本発明による組織切除用受け台を実施例と比較例により説明する。
【００５３】
［実施例］
（組織切除用受け台の製造）
支持体層２の材料としてステンレス製金属板を用い、弾性体層３としてＰＤＭＳ（ジメチルポリシロキサン）を用いて、図１に示した形状の組織切除用受け台１を製造した。ステンレス製金属板の寸法は、長さａ：１５０ｍｍ、幅ｂ：１０ｍｍ、厚みｃ：１ｍｍとし、ＰＤＭＳの寸法は、長さｄ：２０ｍｍ、幅ｅ：１０ｍｍ、厚みｆ：２ｍｍである。ステンレス製金属板の一方の先端に、先端が一致するようにしてＰＤＭＳを積層した。積層には接着剤は使用せず、ＰＤＭＳの持つ自己粘着性を利用して、両者を密着させて一体化した。
【００５４】
（切除作業）
一部を脱毛したマウスを用い、脱毛した皮膚の一部をメスを用いて長さ１５ｍｍ切開した。マウスの皮膚と皮下組織との間に、切開口から、組織切除用受け台１をＰＤＭＳを積層した側からＰＤＭＳが見えなくなるまで挿入した。挿入後に、図９に示した形態の医療用トレパン（円筒状の刃先の直径４ｍｍ）をＰＤＭＳ層に垂直な姿勢で、マウスの皮膚表面からＰＤＭＳ層に向けて押圧し、皮膚の切除を行った。切除後、組織切除用受け台を取り外すとともに、医療用トレパンの刃先から、皮膚の切片を取り出した。上記の切除作業をマウスの複数個所において行った。
【００５５】
（結果１）
組織切除用受け台を取り外したのち、切除時に組織切除用受け台が位置していたところの皮下組織を、肉眼で観察したところ、皮下組織の損傷は観察されなかった。
【００５６】
（結果２）
マウスの皮膚の切断面を肉眼で観察したところ、切断面に損傷は観察されず、傷のない切片が得られた。
【符号の説明】
【００５７】
１〜１ｈ…組織切除用受け台、
２…支持体層、
３…弾性体層、
４…目盛、
６…把持部、
７…固定バンド、
８…コーティング層、
１０…皮膚、
２０…医療用トレパン、
３０…挟持型組織切除用受け台。
【図１】
2015139496.tif 000003
【図２】
2015139496.tif 000004
【図３】
2015139496.tif 000005
【図４】
2015139496.tif 000006
【図５】
2015139496.tif 000007
【図６】
2015139496.tif 000008
【図７】
2015139496.tif 000009
【図８】
2015139496.tif 000010
【図９】
2015139496.tif 000011